(57)【要約】【課題】ユーザの使用状態に起因して音声の認識精度が低下する可能性を、低減する。【解決手段】ユーザに携帯され音声入力手段を備える電子機器において、当該電子機器とユーザとの近接状態を検出する検出手段と、検出手段による検出結果に応じて、音声入力手段の検出感度を制御する制御手段と、を備えることを特徴とする電子機器が提供される。好ましくは、検出手段は、ユーザによる当該電子機器の装着状態を検出し、制御手段は、検出手段により未装着状態が検出された場合、音声入力手段の検出感度を、装着状態における音声入力手段の検出感度よりも高くする。【選択図】図５
2019175159.tif 000002
【特許請求の範囲】
【請求項１】
ユーザに携帯され音声入力手段を備える電子機器において、
当該電子機器と前記ユーザとの近接状態と非近接状態とを検出する検出手段と、
前記検出手段により前記非近接状態が検出された場合、前記音声入力手段の検出感度を、前記近接状態における前記音声入力手段の検出感度よりも高くするように制御する制御手段と、
を備えることを特徴とする電子機器。
【請求項２】
前記制御手段は、前記電子機器と前記ユーザとの間の距離が増加するにつれて、前記音声入力手段の検出感度を高くすることを特徴とする請求項１に記載の電子機器。
【請求項３】
前記検出手段は、前記ユーザによる当該電子機器の装着状態と未装着状態とを検出し、
前記制御手段は、前記検出手段により前記未装着状態が検出された場合、前記音声入力手段の検出感度を、前記装着状態における前記音声入力手段の検出感度よりも高くすることを特徴とする請求項１又は２に記載の電子機器。
【請求項４】
ユーザに携帯され音声入力手段を備える電子機器と前記ユーザとの近接状態と非近接状態とを検出し、
前記非近接状態を検出した場合、前記音声入力手段の検出感度を、前記近接状態における前記音声入力手段の検出感度よりも高くするように制御することを含む、コンピュータにより実行される音声入力感度制御方法。
【請求項５】
ユーザに携帯され音声入力手段を備える電子機器と前記ユーザとの近接状態と非近接状態とを検出し、
前記非近接状態を検出した場合、前記音声入力手段の検出感度を、前記近接状態における前記音声入力手段の検出感度よりも高くするように制御する、
処理をコンピュータに実行させる音声入力感度制御プログラム。
【発明の詳細な説明】
【技術分野】
【０００１】
本発明は、電子機器、音声入力感度制御方法、及び音声入力感度制御プログラムに関する。
【背景技術】
【０００２】
スマートウォッチ等のウェアラブル機器において、ユーザの音声を認識し、認識された音声に応じて所定の操作を行う技術が知られている。
【先行技術文献】
【特許文献】
【０００３】
【特許文献１】特開２０１６−２１８８５２号公報
【発明の概要】
【発明が解決しようとする課題】
【０００４】
しかしながら、特許文献１の構成では、ユーザが機器を装着していない場合、ユーザと機器との距離が離れることによりユーザの音声が良好に認識されないおそれがある。このように、ユーザに携帯され音声入力手段を備える電子機器においては、ユーザの使用状態に起因して、音声の認識精度が低下するおそれがある。
【０００５】
そこで、１つの側面では、本発明は、ユーザの使用状態に起因して音声の認識精度が低下する可能性を、低減することを目的とする。
【課題を解決するための手段】
【０００６】
上記目的を達成するために、本発明の１つの側面では、ユーザに携帯され音声入力手段を備える電子機器において、
当該電子機器と前記ユーザとの近接状態と非近接状態とを検出する検出手段と、
前記検出手段により前記非近接状態が検出された場合、前記音声入力手段の検出感度を、前記近接状態における前記音声入力手段の検出感度よりも高くするように制御する制御手段と、
を備えることを特徴とする電子機器が提供される。
【発明の効果】
【０００７】
１つの側面では、本発明によれば、ユーザの使用状態に起因して音声の認識精度が低下する可能性を、低減することが可能となる。
【図面の簡単な説明】
【０００８】
【図１】本発明の一実施例である電子機器１の概略図である。
【図２】電子機器１のハードウェア構成を示すブロック図である。
【図３】第１入力部の一例によるブロック図である。
【図４】電子機器の機能ブロック図である。
【図５】音声入力感度調整処理の流れを説明するフローチャートである。
【発明を実施するための形態】
【０００９】
以下、添付図面を参照しながら各実施例について詳細に説明する。
【００１０】
図１は、本発明の一実施例である電子機器１の概略図である。図１に示すように、本実施例の電子機器１は、腕時計型の装置（スマートウォッチ等）として構成されている。また、電子機器１は、第１表示部１８及び第２表示部２４（後述）を備えており、第１表示部１８の上に第２表示部２４が積層されている。さらに、第２表示部２４の上には、後述するタッチパネル１７が設けられている。このため、電子機器１においては、第１表示部１８の表示に第２表示部２４の表示を重ね合わせて表示することが可能であるとともに、表示内容にタッチ操作することが可能となっている。
【００１１】
図２は、電子機器１のハードウェア構成を示すブロック図である。図２に示すように、電子機器１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、記憶部１４と、ＲＴＣ（Ｒｅａｌ  Ｔｉｍｅ  Ｃｌｏｃｋ）部１５と、ドライブ１６と、タッチパネル１７と、第１表示部１８と、第１入力部１９と、ブルートゥース（登録商標）用アンテナ２０と、ブルートゥースモジュール２１と、無線ＬＡＮ（Ｌｏｃａｌ  Ａｒｅａ  Ｎｅｔｗｏｒｋ）アンテナ２２と、無線ＬＡＮモジュール２３と、第２表示部２４と、脈拍センサ２５と、地磁気センサ２６と、加速度センサ２７と、ジャイロセンサ２８と、照度センサ２９と、第２入力部３０と、ＧＰＳ（Ｇｌｏｂａｌ  Ｐｏｓｉｔｉｏｎｉｎｇ  Ｓｙｓｔｅｍ）アンテナ３１と、ＧＰＳモジュール３２と、を備えている。
【００１２】
ＣＰＵ１１は、第１ＣＰＵ１１Ａと、第２ＣＰＵ１１Ｂとによって構成される。第１ＣＰＵ１１Ａは、各種演算処理を行い、ＯＳ（Ｏｐｅｒａｔｉｎｇ  Ｓｙｓｔｅｍ）の処理を実行することにより、電子機器１におけるスマートフォンに類する機能を制御する。本実施例において、第１ＣＰＵ１１Ａは、ブルートゥースモジュール２１あるいは無線ＬＡＮモジュール２３を介して受信した電子メールの着信や気象情報に関するメッセージ等を第１表示部１８に表示させたり、タッチパネル１７を介して入力される操作を受け付けたりする。また、第１ＣＰＵ１１Ａは、第１入力部１９を介して入力される音声を認識したり、その他、スマートフォンに類する機能として実装された各種機能に係る処理を行ったりする。
【００１３】
また、本実施例において、第１ＣＰＵ１１Ａは、ＲＴＣ部１５から所定タイミングで時刻信号を取得する。
【００１４】
第２ＣＰＵ１１Ｂは、特定のプログラムの処理を実行することにより、第２表示部２４に対する表示の指示を行ったり、各種センサの検出結果を取得したり、その他、腕時計の機能として実装された各種機能に係る処理を行ったりする。本実施例において、第２ＣＰＵ１１Ｂは、第１ＣＰＵ１１Ａから入力された時刻信号を基準として、時刻を計算したり、時刻、曜日あるいは日付等を第２表示部２４に表示させたりする。第２ＣＰＵ１１Ｂが実行する特定のプログラムの処理（時刻の計算等）は、第１ＣＰＵ１１Ａが実行するＯＳの処理に比べて単純な動作であることから処理負荷が小さく、低消費電力で実行可能である。また、そのため、第２ＣＰＵ１１Ｂに要求されるハードウェアのスペックは、第１ＣＰＵ１１Ａに比べて低いもので足りる。
【００１５】
ＲＯＭ１２は、第１ＣＰＵ１１Ａ及び第２ＣＰＵ１１Ｂそれぞれからデータの読み出しが可能であり、第１ＣＰＵ１１Ａ及び第２ＣＰＵ１１Ｂが実行する種々のプログラムや初期設定データを格納する。例えば、ＲＯＭ１２は、第１ＣＰＵ１１Ａが実行するＯＳのプログラムやＯＳの管理下で実行される各種プログラム、あるいは、第２ＣＰＵ１１Ｂが実行する特定のプログラム（ここでは、腕時計の機能を実現する組み込み用プログラム）のプログラムを格納する。
【００１６】
ＲＡＭ１３は、第１ＣＰＵ１１Ａ及び第２ＣＰＵ１１Ｂそれぞれからデータの読み出し及び書き込みが可能であり、第１ＣＰＵ１１Ａ及び第２ＣＰＵ１１Ｂに作業用のメモリ空間を提供し、作業用の一時データを記憶する。例えば、ＲＡＭ１３は、第１ＣＰＵ１１ＡがＯＳを実行する際のシステム領域やワークエリアを提供したり、第２ＣＰＵ１１Ｂが特定のプログラムを実行する際の記憶領域を提供したりする。
【００１７】
記憶部１４は、第１ＣＰＵ１１Ａ及び第２ＣＰＵ１１Ｂそれぞれからデータの読み出し及び書き込みが可能な不揮発性のメモリであり、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。記憶部１４には、スマートフォンに類する各種機能や腕時計の機能等において生成された各種データ（各種設定内容のデータ等）が記憶される。
【００１８】
ドライブ１６には、磁気ディスク、光ディスク、光磁気ディスク、あるいは半導体メモリ等よりなる、リムーバブルメディア４１が適宜装着される。リムーバブルメディア４１は、各種センサによって検出されたデータ等の各種データを記憶することができる。
【００１９】
タッチパネル１７は、第２表示部２４の表示画面上に設けられた静電容量方式又は抵抗膜式等のタッチパネルである。タッチパネル１７は、操作面に対するユーザのタッチ操作位置と操作内容とを検出して当該操作に応じた信号を発生させて、入力信号として第１ＣＰＵ１１Ａに出力する。
【００２０】
第１表示部１８は、有機ＥＬディスプレイ（ＯＬＥＤ）によって構成され、第１ＣＰＵ１１Ａの制御に従って、各種情報を表示画面に表示する。
【００２１】
第１入力部１９は、入力された音声（操作のための音声コマンド等）を示す信号を第１ＣＰＵ１１Ａに出力する。第１入力部１９の更なる詳細は、図３を参照して後述する。
【００２２】
ブルートゥース用アンテナ２０は、ブルートゥースの規格に基づく電磁波を送受信するアンテナであり、例えばモノポールアンテナ等によって構成される。ブルートゥース用アンテナ２０は、ブルートゥースモジュール２１から入力された無線通信の電気信号を電磁波として送信したり、受信した電磁波を電気信号に変換してブルートゥースモジュール２１に出力したりする。
【００２３】
ブルートゥースモジュール２１は、第１ＣＰＵ１１Ａの指示に従って、ブルートゥース用アンテナ２０を介して他の装置に信号を送信する。また、ブルートゥースモジュール２１は、他の装置から送信された信号を受信し、受信した信号が示す情報を第１ＣＰＵ１１Ａに出力する。
【００２４】
無線ＬＡＮアンテナ２２は、無線ＬＡＮモジュール２３によって利用される無線通信に対応した周波数の電波を受信可能なアンテナであり、例えばループアンテナやロッドアンテナによって構成される。無線ＬＡＮアンテナ２２は、無線ＬＡＮモジュール２３から入力された無線通信の電気信号を電磁波として送信したり、受信した電磁波を電気信号に変換して無線ＬＡＮモジュール２３に出力したりする。
【００２５】
無線ＬＡＮモジュール２３は、第１ＣＰＵ１１Ａの指示に従って、無線ＬＡＮアンテナ２２を介して他の装置に信号を送信する。また、無線ＬＡＮモジュール２３は、他の装置から送信された信号を受信し、受信した信号が示す情報を第１ＣＰＵ１１Ａに出力する。
【００２６】
第２表示部２４は、部分的に又は全体的に光を透過可能なＰＮ（Ｐｏｌｙｍｅｒ  Ｎｅｔｗｏｒｋ）液晶ディスプレイから構成され、第２ＣＰＵ１１Ｂの制御に従って、各種情報を表示画面に表示（ここではセグメント表示）する。
【００２７】
本実施例において、第２表示部２４であるＰＮ液晶ディスプレイは、例えば、上述した第１表示部１８である有機ＥＬディスプレイの表示画面上に積層されている。このＰＮ液晶ディスプレイは、電位が掛けられていない部位では液晶分子が不規則に並び、光を反射するようになっている。つまり、この電位が掛けられていない部位において、ＰＮ液晶ディスプレイによる表示がなされることとなる。一方、電位が掛けられた部位では、液晶分子が表示画面に対して垂直に整列するので、光を透過可能となっている。つまり、この電位が掛けられた部位では、上述の有機ＥＬディスプレイからの光を透過可能となるので、当該ＰＮ液晶ディスプレイを介して当該有機ＥＬディスプレイによる表示を視認することができる。すなわち、電子機器１の表示領域では、第１表示部１８による表示に第２表示部２４による表示を重ね合わせた状態で表示することができるようになっている。
【００２８】
脈拍センサ２５は、電子機器１の裏面側（ユーザの腕に面する側）に設置され、電子機器１が装着されたユーザの脈拍を検出する。
【００２９】
地磁気センサ２６は、地磁気の方向を検出し、検出した地磁気の方向を示す情報を第２ＣＰＵ１１Ｂに出力する。
【００３０】
加速度センサ２７は、電子機器１における３軸方向の加速度を検出し、検出した加速度を示す情報を第２ＣＰＵ１１Ｂに出力する。
【００３１】
ジャイロセンサ２８は、電子機器１における３軸方向の角速度を検出し、検出した角速度を示す情報を第２ＣＰＵ１１Ｂに出力する。
【００３２】
照度センサ２９は、第１表示部１８の裏面側の所定箇所に設置され、電子機器１の表示領域における明るさ（照度）を検出し、検出した明るさを示す情報を第２ＣＰＵ１１Ｂに出力する。
【００３３】
近接センサ４０は、電子機器１の裏面側（ユーザの腕に面する側）に設置される。近接センサ４０は、ユーザが電子機器１を手首に装着しているか否かを検出するために設けられる。近接センサ４０は、物体との距離（近接度）に応じた信号を第２ＣＰＵ１１Ｂに出力する。
【００３４】
第２入力部３０は、各種ボタンで構成され、ユーザの指示操作に応じて各種情報を入力する。
【００３５】
ＧＰＳアンテナ３１は、ＧＰＳにおける衛星から発信される電波を受信して電気信号に変換し、変換した電気信号（以下、「ＧＰＳ信号」と称する）をＧＰＳモジュール３２に出力する。
【００３６】
ＧＰＳモジュール３２は、ＧＰＳアンテナ３１から入力されたＧＰＳ信号に基づいて、電子機器１の位置（緯度、経度、高度）及びＧＰＳによって示される現在時刻を検出する。また、ＧＰＳモジュール３２は、検出した位置及び現在時刻を示す情報を第２ＣＰＵ１１Ｂに出力する。
【００３７】
図３は、第１入力部１９の一例によるブロック図である。第１入力部１９は、マイクロフォン１９１と、アナログアンプ１９２、ＡＤＣ（Ａｎａｌｏｇ  ｔｏ  Ｄｉｇｉｔａｌ  Ｃｏｎｖｅｒｔｅｒ）１９４と、デジタルアンプ１９６と、ローパスフィルタ１９８とを含む。
【００３８】
マイクロフォン１９１で拾われる音声信号は、アナログアンプ１９２で増幅されてから、ＡＤＣ１９４に入力される。ＡＤＣ１９４に入力された音声信号は、デジタル信号に変換され、デジタルアンプ１９６で増幅されてから、ローパスフィルタ１９８に通される。ローパスフィルタ１９８で高周波成分がカットされた音声信号は、第１ＣＰＵ１１Ａで処理される。
【００３９】
次に、電子機器１の機能的構成について説明する。図４は、図２の電子機器１の機能的構成のうち、音声入力感度調整処理に関連する機能的構成を示す機能ブロック図である。
【００４０】
音声入力感度調整処理とは、電子機器１とユーザとの近接状態に応じて音声入力感度を調整する処理である。
【００４１】
音声入力感度調整処理が実行される場合、図４に示すように、第１ＣＰＵ１１Ａにおいて、近接度情報取得部５１と、近接判定部５２と、音声入力感度制御部５３と、音声認識部５４とが機能し、第２ＣＰＵ１１Ｂにおいて、センサ情報取得部６１が機能する。
【００４２】
近接度情報取得部５１は、第２ＣＰＵ１１Ｂのセンサ情報取得部６１によって検出された近接度を表す情報（以下、「近接度情報」という）を取得する。
【００４３】
近接判定部５２は、近接度情報に基づいて、ユーザが電子機器１を手首に装着しているか否かの判定を行う。例えば、近接判定部５２は、近接度が所定閾値以上（ユーザに近い側）である場合に、ユーザが電子機器１を手首に装着していると判定し、それ以外の場合は、ユーザが電子機器１を手首に装着していないと判定する。
【００４４】
音声入力感度制御部５３は、近接判定部５２による判定結果に基づいて、音声入力感度を制御する。すなわち、音声入力感度制御部５３は、ユーザが電子機器１を手首に装着していない場合、マイクロフォン１９１に入力されるユーザの発声による音声入力レベルが比較的低くなるので、音声認識精度が悪化することを防ぐため、音声入力感度が高くなるように、第１入力部１９を制御する。一方、音声入力感度制御部５３は、ユーザが電子機器１を手首に装着している場合、マイクロフォン１９１に入力されるユーザの発声による音声入力レベルが相対的に高くなることから、音声入力感度が比較的低くなるように、第１入力部１９を制御する。
【００４５】
なお、変形例では、音声入力感度制御部５３は、ユーザの口とマイクロフォン１９１との間の距離に応じて、音声入力感度を３段階以上で制御してもよい。例えば、距離と音声入力感度との関係はテーブル形式のデータあるいは所定の関数として電子機器１に保持されており、音声入力感度制御部５３は、これらテーブル形式のデータ又は所定の関数を参照して音声入力感度を制御する。ユーザの口とマイクロフォン１９１との間の距離は、ユーザが電子機器１を手首に装着している場合、例えばユーザの手の状態に応じて推定されてもよい。例えば、加速度センサ２７からの情報等に基づいてユーザの手が前後に移動し歩行中であることが予測される場合、ユーザの口とマイクロフォン１９１との間の距離は、第１距離と予測されてよい。他方、加速度センサ２７からの情報等に基づいてユーザの手が静止しておりかつユーザが画面のタッチ操作を行っていると判定される場合、ユーザの口とマイクロフォン１９１との間の距離は、第１距離よりも短い第２距離と予測されてよい。
【００４６】
音声入力感度の制御は、例えばアナログアンプ１９２のゲインを調整することで実現されてもよい。この場合、アナログアンプ１９２のゲインが高くなるほど音声入力感度が高くなる。あるいは、音声入力感度の制御は、デジタルアンプ１９６のゲインを調整することで実現されてもよい。この場合、デジタルアンプ１９６のゲインが高くなるほど音声入力感度が高くなる。あるいは、音声入力感度の制御は、ローパスフィルタ１９８によるノイズキャンセル機能を調整することで実現されてもよい。この場合、ローパスフィルタ１９８によるノイズキャンセル機能が低くなるほど音声入力感度が高くなる。なお、音声入力感度の制御は、アナログアンプ１９２のゲインとともに、デジタルアンプ１９６のゲインを調整することで実現されてもよいし、同様に複数の調整要素を調整することで実現されてもよい。
【００４７】
音声認識部５４は、第１入力部１９から音声信号が入力されると、入力された音声信号に対して音声認識処理を行う。音声認識部５４は、常時、所定のボイストリガ（例えば“ＯＫ、○○”）を検出できるように、機能がオンしている状態であってよい。音声認識部５４は、ボイストリガを検出すると、その後に入力されうる音声信号に基づいて、音声コマンドを認識する。
【００４８】
センサ情報取得部６１は、近接センサ４０によって検出された近接度等、各種センサによって検出された検出値を取得する。
【００４９】
図５は、図４の機能的構成を有する図１の電子機器１が実行する音声入力感度調整処理の流れを説明するフローチャートである。図５に示す処理は、所定周期ごとに繰り返し実行される。
【００５０】
音声入力感度調整処理は、電子機器１の電源投入とともに開始され、電子機器１の電源をオフする操作が行われた場合に終了する。
【００５１】
ステップＳ１において、近接度情報取得部５１は、第２ＣＰＵ１１Ｂのセンサ情報取得部６１によって取得された近接度情報を取得する。
【００５２】
ステップＳ２において、近接判定部５２は、取得された近接度情報に基づいて、ユーザが電子機器１を手首に装着しているか否かの判定を行う。ユーザが電子機器１を手首に装着していると判定した場合、ステップＳ３に進み、ユーザが電子機器１を手首に装着していないと判定した場合、ステップＳ４に進む。
【００５３】
ステップＳ３において、音声入力感度制御部５３は、アナログアンプ１９２のゲインを比較的低い第１の値にセット又は維持する。
【００５４】
ステップＳ４において、音声入力感度制御部５３は、アナログアンプ１９２のゲインを比較的高い第２の値にセット又は維持する。
【００５５】
このような処理により、電子機器１においては、ユーザが電子機器１を手首に装着しているか否かに応じて、すなわちユーザと機器との距離が離れているか否かに応じて音声入力感度が調整される。すなわち、ユーザと機器との距離が離れている場合は、音声入力感度が高く設定され、ユーザと機器との距離が離れていない場合は、音声入力感度が低く設定される。この結果、ユーザと機器との距離が離れている場合でも、良好な音声認識精度を維持できる。また、ユーザと機器との距離が離れていない場合は、良好な音声認識精度を維持しつつ、消費電力を低減できる。
【００５６】
このようにして、本実施例によれば、ユーザの使用状態に起因して音声の認識精度が低下する可能性を、低減することができる。
【００５７】
なお、上述した一連の処理は、ハードウェアにより実行させることもできるし、ソフトウェアにより実行させることもできる。
【００５８】
換言すると、上記のような機能的構成は例示に過ぎず、特に限定されない。すなわち、上述した一連の処理を全体として実行できる機能が電子機器１に備えられていれば足り、この機能を実現するためにどのような機能ブロックを用いるのかは、特に上記のような機能的構成に限定されない。また、１つの機能ブロックは、ハードウェア単体で構成してもよいし、ソフトウェア単体で構成してもよいし、それらの組み合わせで構成してもよい。
【００５９】
本実施例における機能的構成は、演算処理を実行するプロセッサによって実現され、本実施例に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。例えば、音声認識部５４は、ＣＰＵや、ＣｏｄｅｃＩＣ、ＤＳＰ等により実現されてもよいし、音声認識部５４は、第１入力部１９とともに、ＤＳＰ内蔵マイクロフォン等により実現されてもよい。
【００６０】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６１】
このようなプログラムを含む記録媒体は、ユーザにプログラムを提供するために装置本体とは別に配布される図２のリムーバブルメディア４１により構成されるだけでなく、装置本体に予め組み込まれた状態でユーザに提供される記録媒体等で構成される。リムーバブルメディア４１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１４に含まれる半導体メモリ等で構成される。
【００６２】
なお、本明細書において、記録媒体に記録されるプログラムを記述するステップは、その順序に沿って時系列的に行われる処理はもちろん、必ずしも時系列的に処理されなくても、並列的あるいは個別に実行される処理をも含むものである。
【００６３】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００６４】
例えば、上述の実施例では、電子機器１は第１表示部１８と第２表示部２４とを備えるものとしたが、それに限らず、電子機器１は第１表示部１８のみを備えるものであってもよい。
【００６５】
また、上述の実施例では、電子機器１のＣＰＵ１１は第１ＣＰＵ１１Ａと第２ＣＰＵ１１Ｂとからなるものとしたが、それに限らず、ＣＰＵ１１は第１ＣＰＵ１１Ａの機能と第２ＣＰＵ１１Ｂの機能の両方を備える１つのＣＰＵであってもよい。
【００６６】
また、上述の実施例では、本発明が適用される電子機器１は、デジタルカメラ腕時計型の装置（スマートウォッチ等）を例として説明したが、特にこれに限定されない。
例えば、本発明は、音声認識機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００６７】
また、上述した実施例では、電子機器１とユーザとの距離を測定する近接センサ４０が用いられるが、電子機器１とユーザとの距離を測定することなく近接状態を判定してよい。すなわち、例えば、近接センサ４０に代えて、感圧センサや静電容量センサが使用されてもよい。また、近接センサ４０に代えて、脈拍センサ２５が使用されてもよい。この場合、近接判定部５２は、脈拍センサ２５からのセンサ情報に基づいて脈拍が検出されている場合に、ユーザが電子機器１を手首に装着していると判定し、それ以外の場合は、ユーザが電子機器１を手首に装着していないと判定する。その他、機構的な構成を利用して、電子機器１の装着状態の判定することも可能である。例えば、時計型の電子機器１のバンドの開放・閉止状態を検出することで、電子機器１の装着状態の判定することも可能である。
また、電子機器１の装着位置が変化しうる場合は、電子機器１の装着位置に応じて入力感度の制御を行ってもよい。例えば、ジャイロセンサ２８から出力されたデータにより装着位置（腕、肩、腰等）を判定し、装着位置に応じて入力感度を制御してもよい。
【００６８】
以下に、この出願の願書に最初に添付した特許請求の範囲に記載した発明を付記する。付記に記載した請求項の項番は、この出願の願書に最初に添付した特許請求の範囲の通りである。
＜請求項１＞
ユーザに携帯され音声入力手段を備える電子機器において、
当該電子機器と前記ユーザとの近接状態と非近接状態とを検出する検出手段と、
前記検出手段により前記非近接状態が検出された場合、前記音声入力手段の検出感度を、前記近接状態における前記音声入力手段の検出感度よりも高くするように制御する制御手段と、
を備えることを特徴とする電子機器。
＜請求項２＞
前記制御手段は、前記電子機器と前記ユーザとの間の距離が増加するにつれて、前記音声入力手段の検出感度を高くすることを特徴とする請求項１に記載の電子機器。
＜請求項３＞
前記検出手段は、前記ユーザによる当該電子機器の装着状態と未装着状態とを検出し、
前記制御手段は、前記検出手段により前記未装着状態が検出された場合、前記音声入力手段の検出感度を、前記装着状態における前記音声入力手段の検出感度よりも高くすることを特徴とする請求項１又は２に記載の電子機器。
＜請求項４＞
ユーザに携帯され音声入力手段を備える電子機器と前記ユーザとの近接状態と非近接状態とを検出し、
前記非近接状態を検出した場合、前記音声入力手段の検出感度を、前記近接状態における前記音声入力手段の検出感度よりも高くするように制御することを含む、コンピュータにより実行される音声入力感度制御方法。
＜請求項５＞
ユーザに携帯され音声入力手段を備える電子機器と前記ユーザとの近接状態と非近接状態とを検出し、
前記非近接状態を検出した場合、前記音声入力手段の検出感度を、前記近接状態における前記音声入力手段の検出感度よりも高くするように制御する、
処理をコンピュータに実行させる音声入力感度制御プログラム。
【符号の説明】
【００６９】
１  電子機器
１１Ａ  第１ＣＰＵ
１１Ｂ  第２ＣＰＵ
１４  記憶部
１５  ＲＴＣ部
１６  ドライブ
１７  タッチパネル
１８  第１表示部
１９  第１入力部
２０  ブルートゥース用アンテナ
２１  ブルートゥースモジュール
２２  無線ＬＡＮアンテナ
２３  無線ＬＡＮモジュール
２４  第２表示部
２５  脈拍センサ
２６  地磁気センサ
２７  加速度センサ
２８  ジャイロセンサ
２９  照度センサ
３０  第２入力部
３１  ＧＰＳアンテナ
３２  ＧＰＳモジュール
４０  近接センサ
４１  リムーバブルメディア
５１  近接度情報取得部
５２  近接判定部
５３  音声入力感度制御部
５４  音声認識部
６１  センサ情報取得部
１９１  マイクロフォン
１９２  アナログアンプ
１９４  ＡＤＣ
１９６  デジタルアンプ
１９８  ローパスフィルタ
【図１】
2019175159.tif 000003
【図２】
2019175159.tif 000004
【図３】
2019175159.tif 000005
【図４】
2019175159.tif 000006
【図５】
2019175159.tif 000007